(57)【要約】【課題】廻り縁等の建築材を、板厚の大・小や断面形状にかかわりなく確実に、また天井材等の間で隙間を生じさせずに仮止めでき、かつ扉枠体の接合部の仮止めや天井材の張付けでの仮止めも可能な仮止め用具の提供。【解決手段】正面図が少し縦長の板状で、裏側へ湾曲しており、板状部分１の長手方向の一側部に、９０度より小さい角度のＶ形凹欠部２を有し、裏側の中央位置に、裏端面４が上・下の板状部分１の各側端縁１ａ．１ｂ間を結ぶ線ｙより後方へ突出する長ｍさの突出部３を形成し、かつ、表面中央から突出部３の裏端面３ａへ向けて、斜め下向きの通孔４ａと水平状の通孔４ｂと斜め上向きの通孔４ｃとを、止着具５を選択的に通挿可能に形成する。【選択図】        図１
0003128404.tif 000002
【実用新案登録請求の範囲】
【請求項１】
正面から見て少し縦長の板状で、裏側へ湾曲しており、
板状部分１の長手方向の一側部に、９０度より小さい角度のＶ形凹欠部２を有し、
裏側の中央位置に、裏端面４が上記板状部分１の上・下の各側端縁１ａ．１ｂ間を結ぶ線ｙより少し後方へ突き出る突出部３を形成し、
かつ、表面中央から突出部３の裏端面３ａへ向けて、斜め下向きの通孔４ａと、水平状の通孔４ｂと、斜め上向きの通孔４ｃとを、止着具５が選択的に通挿可能に形成したことを特徴とする、建築材の仮止め用具。
【考案の詳細な説明】
【技術分野】
【０００１】
本考案は、家屋の新築やリフォーム等の作業で、例えば廻り縁（回り縁）・幅木その他の建築材を、石膏ボードその他の壁材、柱、野縁等に取付けるに際して、これらの建築材を仮止めするための用具に関するものである。
【背景技術】
【０００２】
家屋の新築やリフォーム等の作業で、廻り縁即ち天井材と壁材との間の見切り部（直角の境界部）を隠すように横設する建築材や、幅木即ち壁材と床材との間の見切り部等を隠すように横設する建築材等は、その裏面に接着剤を塗布して天井材や壁材あるいは柱や野縁等に固定するが、接着剤が硬化するまでに時間がかかるので、それらの建築材を仮止めしておく必要がある。これは、壁材の中間高さ位置に横木を設ける際も同様である。
【０００３】
また、天井材としての複数枚の石膏ボードを天井の野縁に張付けていく際も、その石膏ボードを仮止めしながら作業することになる。さらに、室内扉枠や窓枠等の建具枠、或いは階段側壁の縦・横幅木のように、直角部をもつ建築材を取付ける際には、縦材と横材の各端部を例えば４５度の角度で接合して取付けるが、その接合面も仮止めしておく必要がある。
【０００４】
それらの作業をするに際して、従来は次のようなことが行われていた。
ａ）各作業現場で大工等が、単なる棒材を用いたり、使用する廻り縁や幅木等の建築材の仮止めに適した形状にその場で切断・加工したものを用いたりしていた。また天井に石膏ボードを張付ける場合には、作業者が二人ならその内の一人が支えて張付けたり、作業者が一人なら頭でボードを支えながら張付けたりしていた。
【０００５】
ｂ）また仮止め専用の用具も考案されており、例えば次のようなものがある。
【特許文献１】特開平１０−５４１３３号公報  これは、「仮取付け部と、この仮取付け部と連続した弾性湾曲部と、この弾性部材と連続して被仮止め材と当接する押え部と有し、前記仮止め部には、表面側から裏面側に止着具を垂直に案内する垂直孔部と共に、表面側から裏面側に止着具を斜めに案内する傾斜孔部が形成されている」ものである。ここで被仮止め材とは例えば廻り縁や幅木等を指している。
【０００６】
ｃ）同じく仮止め用具として次のものもある。
【特許文献２】特開２００５−３３８９５５号公報  これは、「幅木や廻り縁や長押などの内装材を、壁面に仮止めする建築用内装材仮止め具であって、壁面に当接固定する壁面固定部に、前記内装材の表面に当接する押さえ付け部を連接し、この押さえ付け部は、弾性を有すると共に断面逆Ｕ字形に形成して、この逆Ｕ字状の押さえ付け部の遊離両端部が夫々前記弾性により内装材の表面に押圧当接する構成とし、前記壁面固定部に、この壁面固定部を壁面に止着するための止着具を挿通するガイド孔を貫通形成すると共に、このガイド孔は、このガイド孔に挿通した止着具の止着先端側が前記押さえ付け部材側へ向かって傾斜した状態となる傾斜孔に形成した」ものである。
【考案の開示】
【考案が解決しようとする課題】
【０００７】
ところが、上記従来の仮止め手段には次のような問題点があった。
イ）上記ａ）の単なる棒材や現場で仮止め用具を製作するものは、各廻り縁や幅木等の被仮止め材の板厚や形状に対応した適当な長さや形状のものを多数個準備せねばならず、不便であるし煩わしかった。また石膏ボードを天井に張付けるような場合は、作業が一層大変であった。
【０００８】
ロ）上記ｂ）の仮止め用具は傾斜孔も有するが、傾斜孔を有する仮取付け部は、弾性湾曲部と連続形成されている関係上、板厚をあまり厚くすることができない（同公報の図１および図２参照）。
【０００９】
そのため、この傾斜孔はネジ釘等を斜めに通挿させることができても、それはネジ釘等を壁材側の芯材がある方向へ向けることが可能となるだけのものである。ネジ釘等の止着具をネジ込んでも、ここでの廻り縁や幅木は壁材側へ押圧されるだけであって（上記図２参照）、上方または下方へ押圧する力は作用しないから、天井材面や床材面との境界部で生じる隙間を無くすことができなかった。そのため、別途に隠し釘その他のものを打って隙間を無くす手間を要し、またそれに伴って廻り縁や幅木の表面にキズが付いたりした。      
【００１０】
ハ）上記ｃ）の仮止め用具も、裏側に筒状のガイド孔を斜めに形成しているが、この構造は段差部に近い位置にガイド孔を形成している（同公報の例えば図５参照）ため、ガイド孔の傾斜角は小さいものならざるを得ず、大きい傾斜角にできない。なぜなら、傾斜角が大きいとそのガイド孔へネジ釘等の支着具を通挿した際に、廻り縁や幅木に当たってしまうからである。そのためここでも、ネジ釘等をネジ込んだ際に作用する力は、廻り縁や幅木を壁材側へは押圧するが、上方の天井材側や下方の床材側へ押圧する力は殆ど作用せず、上記と同様に境界部の隙間を無くすことができなかった。
【００１１】
また、この仮止め用具は、廻り縁や幅木の板厚の大・小や形状に対応するために、壁面固定部と押さえ付け部の各遊離両端部に段差部を形成したり、傾斜縁に形成してある。しかし、これにより対応可能な板厚の大・小の差は小さい。板厚が小さいと充分に押圧できなかったり、大きいと壁面固定部または押さえ付け部の端部角が壁面や幅木の表面に当たって、キズを付けることになる。そのため、この用具は特定の板厚の廻り縁・幅木だけに専用のものになってしまうことが多かった。
【００１２】
さらに、上記ｃ）のものは、廻り縁や幅木等の横向きの建築材を壁材等に仮止めすることが主目的であるから、他の目的例えば建具枠ような縦材と横材の接合部の仮止め、階段側壁の縦幅木と横幅木との接合部の仮止め等には利用できず、別の仮止め用具を準備しておく必要があった。また、石膏ボードを天井に張付けるような場合の仮止めでも、別の仮止め用具が必要であった。
【００１３】
本考案は、従来の建築材の仮止め用具がもつ上記問題点の解決を課題として考案したものである。即ち、本考案の目的は、廻り縁や幅木等の建築材を、板厚の大・小や断面形状にかかわりなく確実にかつ壁材面をキズ付けることなく仮止めでき、またネジ釘等を螺装時時に建築材を壁材側へと同時に天井材側または床材側へも押圧して、隙間の生じることなく仮止めでき、かつ建具枠の縦材と横材等の直角状の接合部の仮止めや、天井材を張付ける際の仮止めにも用いることができる、建築材の仮止め用具を提供することにある。
【課題を解決するための手段】
【００１４】
本考案に係る建築材の仮止め用具Ａは、
正面から見て少し縦長の板状で、裏側へ湾曲しており、
板状部分１の長手方向の一側部に、９０度より小さい角度のＶ形凹欠部２を有し、
裏側の中央位置に、裏端面４が上記板状部分１の上・下の各側端縁１ａ．１ｂ間を結ぶ線ｙより少し後方へ突き出る突出部３を形成し、
かつ、表面中央から突出部３の裏端面３ａへ向けて、斜め下向きの通孔４ａと、水平状の通孔４ｂと、斜め上向きの通孔４ｃとを、止着具５が選択的に通挿可能に形成したものである。
【００１５】
上記構成において、材質は板状部分１で曲げ方向の弾性を有する合成樹脂製、木製または金属製等とするのがよい。上記で縦長、上・下、上向きや下向きという表現は、この仮止め用具の通常の使用状態、即ち水平状の廻り縁６や幅木７等を取付ける際の状態で示している。
【００１６】
また板状部分１の突出部３の長さは、その裏端面３ａが上・下の各側端縁１ａ，１ｂ間を結ぶ線ｙよりも少し後方へ突出するようにしてあるが、裏端面３ａとその線ｙとの間隔ｍは、材質や板状部分１の弾性により異なるものの、通常は２ないし４ｍｍ程度でよい。板状部分１の上側端縁１ａや下側端縁１ｂは、角部を面取りして丸みをもたせておく。
なお、上記で止着具５とは、ネジ釘・ビスや釘等を示している。
【考案の効果】
【００１７】
上記本考案に係る建築材の仮止め用具Ａによれば、次のような効果を奏する。
イ）この仮止め用具Ａを、廻り縁６または幅木７のような水平状の建築材を壁材９側へ仮止めする場合（ここで壁材９側とは、止着具５が裏側の柱１３等へ螺装または打ち込れる場合のあることを意味する）。
【００１８】
ａ）廻り縁６または幅木７を、この仮止め用具Ａに止着具５を螺装または打ち込み、壁材９（およびその裏側の柱１３や横桟）へ取り付けることにより、同時に廻り縁６の上面を天井材１０の下面に、また幅木７の下面を床面材１１の上面に密着させた状態で仮止めすることができる。
【００１９】
即ち、従来の仮止め用具では、止着具を螺装または打ち込んでも、斜め上向きや斜め下向きへの力が殆ど生じず、廻り縁上面と天井材下面の間や、幅木下面と床面材上面の間に隙間が生じたままであるため、別途に隠し釘その他の手段を用いる必要があった。
【００２０】
しかし本考案に係る仮止め用具Ａでは、裏側中央に突出部３を形成し、そこに斜めに下向きと水平状と斜め上向きの各通孔４ａ，４ｂ，４ｃを形成してあり、止着具５のガイド孔の役割を兼ねている。そのため、該止着具５は進行方向が確実に保持されるから、この仮止め用具Ａの取付け状態に応じて、止着具５が斜め上方または斜め下方を向くように、通孔４ａ，４ｂ，４ｃのいずれかを選択して通挿し螺装または打ち込めばよい。
【００２１】
これにより、該仮止め用具Ａには、廻り縁６または幅木７を壁材９側へ押圧すると同時に、廻り縁２を上方へ押し、また幅木７を下方へ押す力も生じる（例えば図４，図５，図６，図７参照）から、該仮止め用具Ａを介して廻り縁６は天井材１０面に、また幅木７は床材１１面へ密着させられて、その状態で仮止めできることになる。従来と異なり隙間を無くすために、別途隠し釘その他の手段を用いる必要も無くなる。
【００２２】
その際に該仮止め用具Ａは、後記のように、廻り縁６または幅木７等の板厚が大きめのものでは、板状部分１の一側端縁１ａ，１ｂがそれら６，７の表面に当接した状態で押圧することになる（例えば上記図４，図７参照）。また板厚が小さめのものでは、同じく一側端縁１ａ，１ｂがそれら６，７の表面に当接する他に、廻り縁６ならその下端部に裏面の突出部３の上角部が、幅木７ならその上端部に突出部３の下角縁が引っ掛かって、上方または下方へ押圧することになる（例えば上記図５，図６参照）。
【００２３】
ｂ）この仮止め用具Ａは、廻り縁６や幅木７の板厚の大・小や断面形状に関係なく、確実に仮止めすることができる。
【００２４】
即ち、従来の仮止め用具では、廻り縁や幅木の板厚の大・小や断面形状によっては、それらの表面を押圧することが難しく、特定の寸法・形状の廻り縁や幅木に専用のものであったり、また無理に用いると仮止め用具の上端縁や下端縁が壁面材にキズを付けたりすることがあった。
【００２５】
しかし本考案に係る仮止め用具Ａは、上記のように縦幅が横幅より少し長めの板状で、平面状ではなく裏側へ湾曲した形状としてある。そのため，廻り縁６や幅木７を取付ける際に、この仮止め用具Ａの板状部分は斜め状となって、その一側端部１ａ，１ｂを廻り縁６や幅木７の表面に点または線当接させ、他端部１ｂ，１ａを壁材９面に点または線当接させることができる。
【００２６】
このように、この仮止め用具Ａは板状部分１の一側端部１ａ，１ｂが廻り縁６や幅木７の表面に、他側端部１ｂ，１ａが壁材９面に当接して斜め状となるが、板状部分１が裏側ため、廻り縁６や幅木７の板厚が小さいものでも（例えば上記図５・図６参照）、また板
厚が大きいものでも（例えば上記図４，図７参照）、対応することができる。
【００２７】
これで、斜め状となった板状部分１のいずれかの通孔４ａ，４ｂ，４ｃを選択して止着具５を通挿し、壁材９側へ螺装または打ち込んで仮止めすればよい。螺装または打ち込まれた止着具５も斜め方向に前進するから、該仮止め用具Ａを介して、廻り縁６や幅木７は壁材９側へ押圧されると同時に斜め上方または下方へ押圧されながら仮止めされることになり、従来のような隙間の発生が無くなる（例えば上記図４，図５，図６，図７参照）。      
【００２８】
廻り縁６の板厚が小さめのものでは、上記のように該仮止め用具Ａの板状部分１の上側端縁１ａが表面に当接する他に、裏側の突出部３の上角部が廻り縁６の下端部に当接している。また幅木７の板厚が小さめのものでも、板状部分１の下側端縁１ｂが表面に当接する他に、突出部３の下角部が幅木７の上端部に当接している。これにより、廻り縁６は上方へ、幅木７は下方へ一層押圧されるから、この面でも隙間の発生が無くなる。
【００２９】
なお、この仮止め用具Ａの裏側の突出部３の長さは、その裏端面３ａが上・下の各側端縁１ａ，１ｂ間を結ぶ線ｙよりも少しの寸法ｍだけ突出するようにしてある。そのため止着具５を螺装または打ち込み時に、突出部３の裏面３ａが壁材９等に当接したりせず、板状部分１は弾性を保って廻り縁６や幅木７表面を押圧することができる。
【００３０】
ロ）本考案に係る仮止め用具Ａは、例えば室内扉の枠体や窓枠等の建具枠や階段壁面の幅木のような、縦材８ａと横材８ｂを直角に接合して取付ける場合の仮止めに用いることができる。
【００３１】
即ち、縦材と横材の側端部を例えば４５度の傾斜面にして直角状に接合する場合、従来は廻り縁や幅木の仮止め用具とは別個の形状・構造をもつ仮止め用具を準備する必要があり、不便であった。
【００３２】
しかし本考案に係る仮止め用具Ａでは、板状部分１の長手方向の一側部に９０度より小さい角度のＶ形凹欠部２を形成してある。そのため、縦材８ａと横材８ｂとを直角に接合する場合にも、この仮止め用具Ａを用いて、そのＶ形凹欠部２を接合部分の斜め上方または下方から係合させた状態で、斜め下向きまたは斜め上向きへの通孔４ａ，４ｃに止着具５を通挿して、螺装または打ち込めばよい。
【００３３】
この仮止め用具Ａの上記通孔４ａ，４ｃは、上記のように、表面から突出部３までのガイド孔となっているので、該仮止め用具Ａには斜め下方または上方への力が作用して、壁材９側への取付けと同時に、Ｖ形凹欠部２が両材８ａ，８ｂの接合部分へより深く係合していく。これにより、９０度より小さい角度のＶ形凹欠部２が接合部分を両側から締付けて密着させ、縦材８ａと横材８ｂとを直角状に強く接合した状態となって壁面９側へ仮止めできる（例えば図８参照）。この部分の仮止めのために別途仮止め用具を用意しておく必要もなくなる。
【００３４】
ハ）本考案に係る仮止め用具Ａは、天井の野縁にに天井材１０を張付けるの仮止め作業にも使用することができる。
【００３５】
即ち、天井材の張付け作業では、従来は二人がかりで作業をしたり、一人の場合は天井材を頭で支えながら張付けたりし、または廻り縁や幅木の仮止め用具とは別個の形状・構造の仮止め用具を用いたりしていた。
【００３６】
これに対して、本考案に係る仮止め用具Ａによれば、板状部分１が裏側へ湾曲し、表面中央から裏側の突出部３へ通じる通孔４ａ，４ｂ，４ｃを有する構造としてある。そこで
上記廻り縁等の仮止め作業時とは逆に、仮止め具Ａの表面を天井側へ向けて、突出部３からいずれかの通孔４ａ，４ｂ，４ｃに止着具５を通挿し、螺装または打ち込んで仮止めすればよい。
【００３７】
これで、該仮止め具Ａの下方へ湾曲した両側端部と天井材との間に隙間が生じるから、そこに天井材１０の側部寄りを挟み込むことで仮固定でき（例えば図９参照）、接着剤やネジ釘等で天井材１０を野縁１２へ張付けていけばよい。作業者が一人でも、また他の形状・構造の仮止め用具を準備する必要もなくなる。
【考案を実施するための最良の形態】
【００３８】
上記構成の本考案に係る建築材の仮止め用具Ａは、正面から見て少し縦長の板状で、裏側へ湾曲するとともに、裏側中央に裏側へ向けて突出部２を形成したものである。
【００３９】
上記板状部分が曲げ方向に少しは弾性を有するものとし、生産上の便宜から、その材質は合成樹脂製とすることが望ましく、板状部分１の厚みは通常４ないし６ｍｍ程度としておけばよいが、木製や金属製としてもよく、金属製の場合は薄くてよい。
【００４０】
裏側へ突設した突出部３の長さは、その裏端面３ａが上・下の各側端縁１ａ，１ｂ間を結ぶ線ｙよりも少し後方へ突出するようにしておくが、その突出量ｍは材質にもよるが通常２ないし５ｍｍ程度でよい。
【００４１】
また上記板状部分の長手方向長手方向の一側部には、９０度より小さい角度でＶ形凹欠部２を形成してある。この角度は６０度程度にしておくことが望ましいが、９０度以内ならそれに限らない。なお、板状部分１の上側端縁１ａと下側端縁１ｂは、角部を面取りして丸みをもたせておくようにする。
【実施例１】
【００４２】
図１ないし図９は、本考案に係る建築材の仮止め用具Ａの実施例を示すものである。
この仮止め用具Ａの全体形状は、通常の使用状態、即ち水平状の廻り縁６や幅木７等を壁材９等へ取り付ける際の状態において、正面から見て少し縦長の板状部分１を有し、その部分が裏側へ湾曲したものである。
【００４３】
その材質は、ここでは曲げ方向への弾性をもつような合成樹脂で、ポリプロピレン樹脂製としてあり、縦寸法が約１２０ｍｍ、横幅が約５０ｍｍ、厚みは上・下の板状部分１の側端部１ａ，１ｂの近傍で約５ｍｍ程度、また裏側への湾曲は裏面でここでは半径約１１６ｍｍの円弧状の湾曲面に形成してあり、表面中央と上記側端部１ａ，１ｂ間を結ぶ線ｙとの間の寸法Ｍ、つまり全体的な厚みは約２０ｍｍにしてある。
【００４４】
また上記板状部分１には、ここではその一方の側端部１ｂに、約６０度の角度で、深さ（奥行き）約１８ｍｍのＶ形状凹欠部２を形成してある。
【００４５】
そして、該仮止め用具Ａの表面中央から後方への突出部３の裏端面３ａへ向けて、ここでは水平状の通孔４ｂを形成するとともに、斜め下向きに約３０度の角度の通孔４ａと、斜め上向きに約３０度の角度の通孔４ｃとを形成し、止着具としてのネジ釘５を、そのいずれかに選択的に通挿可能としてある。該各通孔４ａ，４ｂ，４ｃの内径はここでは約４ｍｍである。ここで、上向きや下向きという表現は、上記の如くこの仮止め用具Ａの通常の使用状態、即ち水平状の廻り縁６や幅木７等を取り付ける際の状態で示している。
【００４６】
また該突出部３は、裏端面３ａが板状部分１の上・下の各側端縁１ａ，１ｂ間を結ぶ線ｙよりも少し後方へ突出するようにしてあるが、裏端面３ａとその線ｙとの間隔ｍは、大
きさや材質等により異なるものの、ここでは約２ｍｍとしてある。
【００４７】
なお、板状部分１の上側端縁１ａや下側端縁１ｂは、角部を面取りして丸みをもたせてある。
【００４８】
この仮止め用具Ａの使用状態例は、上記考案の効果の項でも概略を説明したが、次のように行う。
イ）まずこの仮止め用具Ａを用いて、天井材としての石膏ボード９と、壁材としての石膏ボード１０との境界部に廻り縁６を取付ける場合は、図４・図６で示す如くである。
【００４９】
廻り縁６の上面と裏面に接着剤を塗布して、上記両石膏ボード９，１０の境界部に押し当てる。そしてこの仮止め用具Ａを、上記図４・図６のように、その板状部分１の上側端縁１ａの裏側を廻り縁６の表面に、また下側端縁１ｂの裏側を壁材としての石膏ボード９に当接させる。廻り縁６の板厚が小さい場合には、上記に加えて裏方へ突出した突出部３の上側部を廻り縁６の下端面に当接させる（上記図６参照）。この状態で、表面から斜め上向きの通孔４ｃへ止着具としてのネジ釘５を通挿し、ドライバー等（図示略）にて壁材としての石膏ボード９へ螺装すればよい。
【００５０】
この際、ネジ釘５が斜め上向きの通孔４ｃにガイドされて螺装することにより、該仮止め用具Ａは石膏ボード９側へ押圧されると同時に、斜め上方への分力ｐも加わるので（上記図４・図６の矢印参照）、上側端縁１ａが廻り縁６の表面を上方へ押し上げながら、壁材としての石膏ボード９（およびその裏側の柱１３）へ仮止めされる。廻り縁６の板厚が小さい場合には、上記に加えて裏方へ突出した突出部３の上側部が廻り縁６の下端面を上方へ押しながら、同様に仮止めされる。これにより、廻り縁６は上縁面が天井材としての石膏ボード１０下面との間で、隙間ｓを生じることなく取付けられることになる。
【００５１】
ロ）次に、この仮止め用具Ａを用いて、幅木７を、壁材としての石膏ボード９と床材１１との境界部に取付ける場合は、図５で示す如くである。
【００５２】
幅木７の下面と裏面に接着剤を塗布して、上記壁材としての石膏ボード９と床材１１との境界部に押し当てる。そしてこの仮止め用具Ａを上記図５で示すように、その板状部分１の下側端縁１ｂの裏面を幅木７の表面に、また上側端縁１ａの裏面を壁材としての石膏ボード９に当接させ、それに加えて、裏側の突出部３の下側部を幅木７の上端面に当接させた状態で、表面から斜め下向きの通孔４ａへネジ釘５を通挿し、ドライバー等にて上記石膏ボード９へ螺装すればよい。
【００５３】
この際、ネジ釘５が斜め下向きの通孔４ａにガイドされながら螺装されることにより、この仮止め用具Ａには、壁材としての石膏ボード９側へ押圧されると同時に斜め下方への分力ｐも加わる（上記図５の矢印参照）。そのため、該仮止め用具Ａは、板状部分１の下側端縁１ｂが幅木７の表面を下方へも押圧するのに加えて、裏側の突起部３の下側部が幅木７の上端面を下方へ押しながら（上記図５参照）、幅木７を上記石膏ボード９（およびその裏側の柱１３）へ仮止めする。これにより、幅木７は下縁面が床材１１上面との間で隙間ｓを生じることなく取付けられることになる。
【００５４】
ハ）また、この仮止め用具Ａを用いて、建具枠ここでは室内扉枠を、例えば柱１３に取付ける場合は、図８で示す如くである。
【００５５】
予め両材３ａ，３ｂの接合する各側端部を４５度の角度で切断しておき、縦材８ａと横材８ｂの各裏面および両側端部に接着剤を塗布し、直角状に突き合わせた状態で取付け場所へ押し当てる。上記図８は建具枠の右上角部の接合部分の取付け状態を示すので、その
直角状の接合部分の外側に、該仮止め用具Ａの板状部分１のＶ形凹欠部２を右斜め上方から係合させ、この状態で板状部分１表面中央の斜め下向きの通孔４ａにネジ釘５を通挿して、ドライバー等でねじ込めばよい。
【００５６】
この際、ネジ釘５の柱１３への螺装により、該仮止め用具Ａは上記と同様に柱１３側へ押圧されて仮止めされるが、同時に、該仮止め用具Ａには左下方への分力ｐも加わっている。そのため、ここでは約６０度の角度をもつＶ形凹欠部２が、上記接合部分へ一層深く係合していき、Ｖ形凹欠部２の両内側面が接合部分を両側方から締付けて密着させることになる。これにより、上記縦材８ａと横材８ｂの側端部は一層強く直角に強く接合した状態で柱１３へ仮止めされる。これは、窓枠体や階段壁面の縦・横の幅木を取付ける場合も同様である。
【００５７】
ニ）本考案に係る仮止め用具Ａを用いて、天井材としての石膏ボード１０を天井の野縁１２等に張付ける場合は、図９で示すとおりである。
【００５８】
まず、天井の側部寄りの石膏ボード１０の仮止めでは、この仮止め用具Ａを表裏を逆向きにして、側部の柱１３の天井寄り位置、詳しくは板状部分２の上側端縁１ａが天井の野縁１２の下端面との間で、石膏ボード１０の厚みより少し大きい間隔をもつ位置に当接させる。そして、ネジ釘５を突出部３の裏端面３ａ側から、いずれかの通孔４ｂに通挿し螺装させることで、該仮止め用具Ａを柱１３に仮止めする。この状態で、１枚目の石膏ボード１０の側縁部を、該仮止め用具Ａの上側端縁１ａと天井の野縁１２との間に差し入れて支持させればよい。この状態で該石膏ボード１０を天井の野縁１２へ接着・ネジ止めすればよい。
【００５９】
そして、該側部寄りの石膏ボード１０に隣接する次の石膏ボード１０を張付ける前に、仮止め用具Ａを表面が天井を向くようにして、先の石膏ボード１０の側縁寄りの位置に当てがい、下側を向いた突出部３の裏端面３ａ側から、いずれかの通孔４ｂにネジ釘５を通挿し螺装して、先の石膏ボード１０の側縁寄りの下面に仮止めする。
【００６０】
次いで、該仮止め具Ａの板状部分１の一方の側端部１ａと天井の野縁１２との間に隙間が生じているので、そこに次の石膏ボード１０の側端部を嵌め入れ、スライドさせて先の石膏ボード１０に並べて支持させればよい。この状態で該石膏ボード１０を天井の野縁１２へ接着・ネジ止めすればよく、後はこれを順次に返して張り付けていけばよい。
【００６１】
なお、上記実施例で示した材質・寸法等はそれに限るものでないことは勿論である。
【図面の簡単な説明】
【００６２】
【図１】本考案に係る建築材の仮止め用具の実施例を示す斜視図である。
【図２】図１で示したものの背面図である。
【図３】図１で示したものの中央縦断側面図である。
【図４】本考案に係る建築材の仮止め用具を、廻り縁の仮止めに用いた例を示す一部切欠き側面図である。
【図５】本考案に係る建築材の仮止め用具を、幅木の仮止めに用いた例を示す一部切欠き側面図である。
【図６】本考案に係る建築材の仮止め用具を、厚みが小さい廻り縁の仮止めに用いた例を示す一部切欠き側面図である。
【図７】本考案に係る建築材の仮止め用具を、厚みが大きい廻り縁の仮止めに用いた例を示す一部切欠き側面図である。
【図８】本考案に係る建築材の仮止め用具を、室内扉枠の直角状接合の仮止めに用いた例を一部切欠き側面図である。
【図９】本考案に係る建築材の仮止め用具を、天井材としての石膏ボード張りの仮止め用いた例を一部切欠き側面図である。
【符号の説明】
【００６３】
Ａ−仮止め用具
１−板状部分
１ａ−上側端部
１ｂ−下側端部
２−Ｖ形状凹欠部
３−突出部
４ａ−通孔
４ｂ−通孔
４ｃ−通孔
５−止着具，ネジ釘
６−廻り縁
７−幅木
８ａ−縦材
８ｂ−横材
９−壁材，石膏ボード
１０−天井材，石膏ボード
１１−床材
１２−野縁
１３−柱
Ｍ−厚さ
ｍ−突出寸法
ｙ−線
ｐ−分力
【図１】
0003128404.tif 000003
【図２】
0003128404.tif 000004
【図３】
0003128404.tif 000005
【図４】
0003128404.tif 000006
【図５】
0003128404.tif 000007
【図６】
0003128404.tif 000008
【図７】
0003128404.tif 000009
【図８】
0003128404.tif 000010
【図９】
0003128404.tif 000011